(57)【要約】【課題】装置本体を構成する筐体の状態を示すスタイルに応じて、適切な通信手段による通信を容易に実行できるようにする。【解決手段】中央制御部１１は、着信時、通話中、発信時のいずれかにおいて、複数の通信手段による通信としてテレビ電話、音声電話、Ｅメール、留守番電話のいずれかを実行する場合に、スタイル検出部２２によって検出されたスタイルに基づいて選択条件記憶部Ｍ３を参照し、このスタイルに応じて選択した通信手段による通信を実行する。【選択図】  図２
2010258646.tif 000002
【特許請求の範囲】
【請求項１】
複数の通信手段を制御する端末装置であって、
装置本体を構成する筐体の状態を示すスタイルを検出するスタイル検出手段と、
この検出手段によって検出されたスタイルに基づいて、前記複数の通信手段の中からいずれか１つの通信手段を選択する選択手段と、
この選択手段によって選択された通信手段による通信を実行する実行手段と、
を具備したことを特徴とする端末装置。
【請求項２】
通信を開始するための操作を検出する操作検出手段を更に備え、
前記実行手段は、前記操作検出手段によって通信を開始するための操作が検出された場合に、前記選択手段によって選択された通信手段による通信を実行する、
ようにしたことを特徴とする請求項１記載の端末装置。
【請求項３】
着信を検出する着信検出手段を更に備え、
前記スタイル検出手段は、前記着信検出手段によって着信が検出されている状態にあって、スタイルが変更された場合に、変更後のスタイルを検出し、
前記選択手段は、前記スタイル検出手段によって検出された変更後のスタイルに基づいて、前記複数の通信手段の中からいずれか１つの通信手段を選択する、
ようにしたことを特徴とする請求項１記載の端末装置。
【請求項４】
前記スタイル検出手段は、前記選択手段によって選択された通信手段による通信が実行されている状態にあって、スタイルが変更された場合に、変更後のスタイルを検出し、
前記選択手段は、前記スタイル検出手段によって検出された変更後のスタイルに基づいて、前記複数の通信手段の中からいずれか１つの通信手段を選択し、
前記実行手段は、前記選択手段によって選択された通信手段による通信に切り替えて実行する、
ようにしたことを特徴とする請求項１記載の端末装置。
【請求項５】
前記複数の通信手段の個々に対応して、それぞれの通信を開始するための操作を行う通信開始操作手段を更に備え、
前記実行手段は、前記通信開始操作が行われた際に、前記複数の通信手段のうち、当該開始操作に対応する通信手段による通信を実行する、
ようにしたことを特徴とする請求項１記載の端末装置。
【請求項６】
前記装置本体は、その筐体を第１の形態に開いた状態であることを示す第１オープンスタイルと、前記筐体を第２の形態に開いた状態であることを示す第２オープンスタイルの２つのスタイルになることが可能な構成となっており、
前記スタイル検出手段は、前記第１オープンスタイルと第２オープンスタイルのいずれかを検出する、
ようにしたことを特徴とする請求項１記載の端末装置。
【請求項７】
前記複数の通信手段による通信は、テレビ電話機能による通話、音声電話機能による通話、電子メール機能による通信、音声記録機能による通信のうち、少なくともいずれか２つである、
ことを特徴とする請求項１記載の端末装置。
【請求項８】
前記複数の通信手段による通信は、複数の放送受信手段による受信である、
ことを特徴とする請求項１記載の端末装置。
【請求項９】
前記複数の通信手段による通信は、帯域幅の異なる複数の通信手段による通信である、
ことを特徴とする請求項１記載の端末装置。
【請求項１０】
複数の通信手段の制御として、テレビ電話機能による通話と音声電話機能による通話が可能であり、かつ、装置本体を構成する筐体の状態を示すスタイルとして、この筐体を第１の形態に開いた状態であることを示す第１オープンスタイルと、前記筐体を第２の形態に開いた状態であることを示す第２オープンスタイルの２つのスタイルになることが可能な構成の端末装置であって、
通話を開始するための操作を検出する操作検出手段と、
前記筐体の状態を示すスタイルを検出するスタイル検出手段と、
前記操作検出手段によって通話を開始するための操作が検出された場合に、前記スタイル検出手段によって検出されたスタイルが前記第１オープンスタイルなのか前記第２オープンスタイルなのかを判別する判別手段と、
この判別手段による判別結果に基づいて、前記テレビ電話機能による通話と前記音声電話機能による通話のいずれかを選択する選択手段と、
この選択手段によって選択された通話を実行する実行手段と、
を具備したことを特徴とする端末装置。
【請求項１１】
複数の通信手段の制御として、テレビ電話機能による通話と音声電話機能による通話が可能であり、かつ、装置本体を構成する筐体の状態を示すスタイルとして、この筐体を第１の形態に開いた状態であることを示す第１オープンスタイルと、前記筐体を第２の形態に開いた状態であることを示す第２オープンスタイルの２つのスタイルになることが可能な構成の端末装置であって、
前記筐体の状態を示すスタイルを検出するスタイル検出手段と、
テレビ電話機能による通話と音声電話機能による通話のいずれかで通話している状態にあって、前記スタイル検出手段によってスタイルの変更が検出された場合に、変更後のスタイルが第１オープンスタイルなのか第２オープンスタイルなのかを判別する判別手段と、
この判別手段による判別結果に基づいて、前記テレビ電話機能による通話と前記音声電話機能による通話のいずれかを選択する選択手段と、
この選択手段によって選択された通話を実行する実行手段と、
を具備したことを特徴とする端末装置。
【請求項１２】
複数の通信手段の制御として、テレビ電話機能による通話と音声電話機能による通話が可能であり、かつ、装置本体を構成する筐体の状態を示すスタイルとして、この筐体を閉じた状態であることを示すクローズスタイルと、前記筐体を第１の形態に開いた状態であることを示す第１オープンスタイルと、前記筐体を第２の形態に開いた状態であることを示す第２オープンスタイルの３つのスタイルになることが可能な構成の端末装置であって、
着信を検出する着信検出手段と、
スタイルを検出するスタイル検出手段と、
前記クローズスタイルにおいて前記着信検出手段によって着信が検出されている状態にあって、前記スタイル検出手段によってスタイルの変更が検出された場合に、変更後のスタイルが前記第１オープンスタイルなのか前記第２オープンスタイルなのかを判別する判別手段と、
この判別手段による判別結果に基づいて、前記テレビ電話機能による通話と前記音声電話機能による通話のいずれかを選択する選択手段と、
この選択手段によって選択された通話を実行する実行手段と、
を具備したことを特徴とする端末装置。
【請求項１３】
コンピュータに対して、
装置本体を構成する筐体の状態を示すスタイルを検出する機能と、
前記検出されたスタイルに基づいて、複数の通信手段の中からいずれか１つの通信手段を選択する機能と、
前記選択された通信手段による通信を実行する機能と、
を実現させるためのプログラム。
【請求項１４】
コンピュータに対して、
通話を開始するための操作を検出する機能と、
装置本体を構成する筐体の状態を示すスタイルとして、この筐体を第１の形態に開いた状態であることを示す第１オープンスタイルと、前記筐体を第２の形態に開いた状態であることを示す第２オープンスタイルを検出する機能と、
前記通話を開始するための操作が検出された場合に、前記検出されたスタイルが前記第１オープンスタイルなのか前記第２オープンスタイルなのかを判別する機能と、
前記判別結果に基づいて、テレビ電話機能による通話と音声電話機能による通話のいずれかを選択する機能と、
前記選択された通話を実行する機能と、
を実現させるためのプログラム。
【請求項１５】
コンピュータに対して、
装置本体を構成する筐体の状態を示すスタイルとして、この筐体を第１の形態に開いた状態であることを示す第１オープンスタイルと、前記筐体を第２の形態に開いた状態であることを示す第２オープンスタイルを検出する機能と、
テレビ電話機能による通話と音声電話機能による通話のいずれかで通話している状態にあって、前記スタイルが変更された場合に、変更後のスタイルが第１オープンスタイルなのか第２オープンスタイルなのかを判別する機能と、
前記判別結果に基づいて、前記テレビ電話機能による通話と音声電話機能による通話のいずれかを選択する機能と、
前記選択された通話を実行する機能と、
を実現させるためのプログラム。
【請求項１６】
コンピュータに対して、
着信を検出する機能と、
装置本体を構成する筐体の状態を示すスタイルとして、この筐体を閉じた状態であることを示すクローズスタイルと、前記筐体を第１の形態に開いた状態であることを示す第１オープンスタイルと、前記筐体を第２の形態に開いた状態であることを示す第２オープンスタイルを検出する機能と、
前記クローズスタイルにおいて前記着信が検出されている状態にあって、前記スタイルの変更が検出された場合に、変更後のスタイルが前記第１オープンスタイルなのか前記第２オープンスタイルなのかを判別する機能と、
前記判別結果に基づいて、テレビ電話機能による通話と音声電話機能による通話のいずれかを選択する機能と、
前記選択された通話を実行する機能と、
を実現させるためのプログラム。
【発明の詳細な説明】
【技術分野】
【０００１】
本発明は、複数の通信手段を制御する端末装置及びプログラムに関する。
【背景技術】
【０００２】
従来、携帯電話機などの端末装置には、折り畳み式やスライド式などの筐体構造を持つものがあり、その筐体構造に応じて様々なスタイル（筐体の状態）をとることが可能となっている。例えば、全体形状が長方形を成す筐体においてその長手方向と短手方向の２方向に開閉可能となっている折り畳み式の携帯装置が開示されている（特許文献１参照）。一方、携帯電話などの端末装置には、例えば、テレビ電話機能、音声電話機能、電子メール機能、テレビ放送受信機能、ラジオ放送受信機能、赤外線通信機能など様々な通信手段が備えられているものが知られている。
【先行技術文献】
【特許文献】
【０００３】
【特許文献１】特開２００５−０３８２１７号公報
【発明の概要】
【発明が解決しようとする課題】
【０００４】
ところで、上述した端末装置にあっては、使用する通信手段をスタイルに応じて選択したい場合がある。例えば、通話用のマイクやスピーカの位置が音声電話機能に適したスタイルであれば、音声電話機能を選択したい、また、カメラ、マイク、スピーカの位置がテレビ電話機能に適したスタイルであれば、テレビ電話機能を選択したい、音声電話機能を使用するときに持ち易い形状のスタイル（例えば、片手で握るのに適しているスタイル）であれば、音声電話機能を選択したい、テレビ電話機能を使用するときに持ち易い形状のスタイル（例えば、両手で顔の前で持つのに適しているスタイル）であれば、テレビ電話機能を選択したい、などのように、使用し易さを理由に、使用する通信手段をスタイルに応じて選択したい場合がある。あるいは、単にユーザの嗜好を理由に、使用する通信手段をスタイルに応じて選択したい場合がある。他にも理由は様々であるが、使用する通信手段をスタイルに応じて選択したい場合がある。
【０００５】
このような場合において、上述した端末装置では、使用する通信手段をユーザ操作によって選択しなければならなかった。例えば、テレビ電話機能で発信を行う場合にはその発信を指示するための操作が必要となると共に、音声電話機能の発信を行う場合にはその発信を指示するための操作が必要となる。このように使用する通信手段をユーザ操作によって選択しなければならないのは煩雑であると共に、ユーザに負担をかけるという問題が起きる。
【０００６】
本発明の課題は、装置本体を構成する筐体の状態を示すスタイルに応じて、適切な通信手段による通信を容易に実行できるようにすることである。
【課題を解決するための手段】
【０００７】
上述した課題を解決するために請求項１記載の発明は、複数の通信手段を制御する端末装置であって、装置本体を構成する筐体の状態を示すスタイルを検出するスタイル検出手段と、この検出手段によって検出されたスタイルに基づいて、前記複数の通信手段の中からいずれか１つの通信手段を選択する選択手段と、この選択手段によって選択された通信手段による通信を実行する実行手段と、を具備したことを特徴とする。
【０００８】
請求項１に従属する発明として、通信を開始するための操作を検出する操作検出手段を更に備え、前記実行手段は、前記操作検出手段によって通信を開始するための操作が検出された場合に、前記選択手段によって選択された通信手段による通信を実行する、ようにしたことを特徴とする請求項２記載の発明であってもよい。
【０００９】
請求項１に従属する発明として、着信を検出する着信検出手段を更に備え、前記スタイル検出手段は、前記着信検出手段によって着信が検出されている状態にあって、スタイルが変更された場合に、変更後のスタイルを検出し、前記選択手段は、前記スタイル検出手段によって検出された変更後のスタイルに基づいて、前記複数の通信手段の中からいずれか１つの通信手段を選択する、ようにしたことを特徴とする請求項３記載の発明であってもよい。
【００１０】
請求項１に従属する発明として、前記スタイル検出手段は、前記選択手段によって選択された通信手段による通信が実行されている状態にあって、スタイルが変更された場合に、変更後のスタイルを検出し、前記選択手段は、前記スタイル検出手段によって検出された変更後のスタイルに基づいて、前記複数の通信手段の中からいずれか１つの通信手段を選択し、前記実行手段は、前記選択手段によって選択された通信手段による通信に切り替えて実行する、ようにしたことを特徴とする請求項４記載の発明であってもよい。
【００１１】
請求項１に従属する発明として、前記複数の通信手段の個々に対応して、それぞれの通信を開始するための操作を行う通信開始操作手段を更に備え、前記実行手段は、前記通信開始操作が行われた際に、前記複数の通信手段のうち、当該開始操作に対応する通信手段による通信を実行する、ようにしたことを特徴とする請求項５記載の発明であってもよい。
【００１２】
請求項１に従属する発明として、前記装置本体は、その筐体を第１の形態に開いた状態であることを示す第１オープンスタイルと、前記筐体を第２の形態に開いた状態であることを示す第２オープンスタイルの２つのスタイルになることが可能な構成となっており、前記スタイル検出手段は、前記第１オープンスタイルと第２オープンスタイルのいずれかを検出する、ようにしたことを特徴とする請求項６記載の発明であってもよい。
【００１３】
請求項１に従属する発明として、前記複数の通信手段による通信は、テレビ電話機能による通話、音声電話機能による通話、電子メール機能による通信、音声記録機能による通信のうち、少なくともいずれか２つである、ことを特徴とする請求項７記載の発明であってもよい。
【００１４】
請求項１に従属する発明として、複数の通信手段による通信は、前記複数の放送受信手段による受信である、ことを特徴とする請求項８記載の発明であってもよい。
【００１５】
請求項１に従属する発明として、前記複数の通信手段による通信は、帯域幅の異なる複数の通信手段による通信である、ことを特徴とする請求項９記載の発明であってもよい。
【００１６】
また、上述した課題を解決するために請求項１０記載の発明は、複数の通信手段の制御として、テレビ電話機能による通話と音声電話機能による通話が可能であり、かつ、装置本体を構成する筐体の状態を示すスタイルとして、この筐体を第１の形態に開いた状態であることを示す第１オープンスタイルと、前記筐体を第２の形態に開いた状態であることを示す第２オープンスタイルの２つのスタイルになることが可能な構成の端末装置であって、通話を開始するための操作を検出する操作検出手段と、前記筐体の状態を示すスタイルを検出するスタイル検出手段と、前記操作検出手段によって通話を開始するための操作が検出された場合に、前記スタイル検出手段によって検出されたスタイルが前記第１オープンスタイルなのか前記第２オープンスタイルなのかを判別する判別手段と、この判別手段による判別結果に基づいて、前記テレビ電話機能による通話と前記音声電話機能による通話のいずれかを選択する選択手段と、この選択手段によって選択された通話を実行する実行手段と、を具備したことを特徴とする。
【００１７】
また、上述した課題を解決するために請求項１１記載の発明は、複数の通信手段の制御として、テレビ電話機能による通話と音声電話機能による通話が可能であり、かつ、装置本体を構成する筐体の状態を示すスタイルとして、この筐体を第１の形態に開いた状態であることを示す第１オープンスタイルと、前記筐体を第２の形態に開いた状態であることを示す第２オープンスタイルの２つのスタイルになることが可能な構成の端末装置であって、前記筐体の状態を示すスタイルを検出するスタイル検出手段と、テレビ電話機能による通話と音声電話機能による通話のいずれかで通話している状態にあって、前記スタイル検出手段によってスタイルの変更が検出された場合に、変更後のスタイルが第１オープンスタイルなのか第２オープンスタイルなのかを判別する判別手段と、この判別手段による判別結果に基づいて、前記テレビ電話機能による通話と前記音声電話機能による通話のいずれかを選択する選択手段と、この選択手段によって選択された通話を実行する実行手段と、を具備したことを特徴とする。
【００１８】
また、上述した課題を解決するために請求項１２記載の発明は、複数の通信手段の制御として、テレビ電話機能による通話と音声電話機能による通話が可能であり、かつ、装置本体を構成する筐体の状態を示すスタイルとして、この筐体を閉じた状態であることを示すクローズスタイルと、前記筐体を第１の形態に開いた状態であることを示す第１オープンスタイルと、前記筐体を第２の形態に開いた状態であることを示す第２オープンスタイルの３つのスタイルになることが可能な構成の端末装置であって、着信を検出する着信検出手段と、スタイルを検出するスタイル検出手段と、前記クローズスタイルにおいて前記着信検出手段によって着信が検出されている状態にあって、前記スタイル検出手段によってスタイルの変更が検出された場合に、変更後のスタイルが前記第１オープンスタイルなのか前記第２オープンスタイルなのかを判別する判別手段と、この判別手段による判別結果に基づいて、前記テレビ電話機能による通話と前記音声電話機能による通話のいずれかを選択する選択手段と、この選択手段によって選択された通話を実行する実行手段と、を具備したことを特徴とする。
【００１９】
また、上述した課題を解決するために請求項１３記載の発明は、コンピュータに対して、装置本体を構成する筐体の状態を示すスタイルを検出する機能と、前記検出されたスタイルに基づいて、複数の通信手段の中からいずれか１つの通信手段を選択する機能と、前記選択された通信手段による通信を実行する機能と、を実現させるためのプログラム特徴とする。
【００２０】
また、上述した課題を解決するために請求項１４記載の発明は、コンピュータに対して、通話を開始するための操作を検出する機能と、装置本体を構成する筐体の状態を示すスタイルとして、この筐体を第１の形態に開いた状態であることを示す第１オープンスタイルと、前記筐体を第２の形態に開いた状態であることを示す第２オープンスタイルを検出する機能と、前記通話を開始するための操作が検出された場合に、前記検出されたスタイルが前記第１オープンスタイルなのか前記第２オープンスタイルなのかを判別する機能と、前記判別結果に基づいて、テレビ電話機能による通話と音声電話機能による通話のいずれかを選択する機能と、前記選択された通話を実行する機能と、を実現させるためのプログラムを特徴とする。
【００２１】
また、上述した課題を解決するために請求項１５記載の発明は、コンピュータに対して装置本体を構成する筐体の状態を示すスタイルとして、この筐体を第１の形態に開いた状態であることを示す第１オープンスタイルと、前記筐体を第２の形態に開いた状態であることを示す第２オープンスタイルを検出する機能と、テレビ電話機能による通話と音声電話機能による通話のいずれかで通話している状態にあって、前記スタイルが変更された場合に、変更後のスタイルが第１オープンスタイルなのか第２オープンスタイルなのかを判別する機能と、前記判別結果に基づいて、前記テレビ電話機能による通話と音声電話機能による通話のいずれかを選択する機能と、前記選択された通話を実行する機能と、を実現させるためのプログラムを特徴とする。
【００２２】
また、上述した課題を解決するために請求項１６記載の発明は、コンピュータに対して、着信を検出する機能と、装置本体を構成する筐体の状態を示すスタイルとして、この筐体を閉じた状態であることを示すクローズスタイルと、前記筐体を第１の形態に開いた状態であることを示す第１オープンスタイルと、前記筐体を第２の形態に開いた状態であることを示す第２オープンスタイルを検出する機能と、前記クローズスタイルにおいて前記着信が検出されている状態にあって、前記スタイルの変更が検出された場合に、変更後のスタイルが前記第１オープンスタイルなのか前記第２オープンスタイルなのかを判別する機能と、前記判別結果に基づいて、テレビ電話機能による通話と音声電話機能による通話のいずれかを選択する機能と、前記選択された通話を実行する機能と、を実現させるためのプログラムを特徴とする。
【発明の効果】
【００２３】
本発明によれば、筐体の状態を示すスタイルに応じて、適切な通信手段による通信を容易に実行することができ、利便性を向上させることが可能となる。
【図面の簡単な説明】
【００２４】
【図１】端末装置として適用した携帯電話機が利用可能な通信ネットワークシステムを示したブロック図。
【図２】携帯電話機１の基本的な構成要素を示したブロック図。
【図３】携帯電話機１の外観図で、（１）は、操作部筐体１Ａと表示部筐体１Ｂとを折り畳んだ状態のクローズスタイルを示し、（２）は、このクローズスタイルから表示部筐体１Ｂをその短手方向の一端部に平行な軸を開閉軸として開いた状態の縦オープンスタイルを示し、（３）は、クローズスタイルから表示部筐体１Ｂをその長手方向の一端部に平行な軸を開閉軸として開いた状態の横オープンスタイルを示した図。
【図４】選択条件記憶部Ｍ３を説明するための図。
【図５】携帯電話機１の全体動作の概要を示したフローチャート。
【図６】着信処理（図５のステップＡ６）を詳述するためのフローチャート。
【図７】図６に続く動作を示したフローチャート。
【図８】通話中処理（図５のステップＡ７）を詳述するためのフローチャート。
【図９】発信処理（図５のステップＡ９）を詳述するためのフローチャート。
【図１０】（１）は、着信時に表示される着信画面を例示した図、（２）は、着信メニュー画面を例示した図、（３）は、通信相手指定画面を例示した図、（４）は、発信メニュー画面を例示した図。
【発明を実施するための形態】
【００２５】
以下、図１〜図１０を参照して本発明の実施形態を説明する。
本実施形態は、端末装置として携帯電話機に適用した場合を例示したもので、図１は、この携帯電話機が利用可能な通信ネットワークシステムを示したブロック図である。
携帯電話機１には、音声データを送受信して相手と通話する音声電話機能のほかに、音声データと共にリアルタイム画像（相手画像、自分画像）を送受信して相手と通話するＴＶ（テレビ）電話機能を備え、相手側との間でテレビ電話による通話が可能となっている。更に、携帯電話装置１には、留守番電話機能、電子メール機能、インターネット接続機能（Ｗｅｂアクセス機能）が備えられていると共に、デジタル放送（例えば、地上波デジタル放送）を受信可能な放送受信機能などが備えられている。
【００２６】
携帯電話機１は、最寄りの基地局２Ａ、交換機２Ｂから無線通信網（移動体通信網）２に接続されると、この無線通信網２を介して他の携帯電話機（図示省略）との間で通話可能な状態となり、また、携帯電話機１は、無線通信網２を介して通信事業者側の留守番電話サービス装置３に接続されると、留守番電話サービス装置３側に記録された伝言メッセージを受信して出力させることが可能となる。なお、通信事業者側では、電話着信の呼び出してから一定時間応答がないときには、その呼び出しを中止して留守番電話サービス装置３を呼び出し、その相手（発信元）端末との通話路を確立するようにしている。この場合、留守番電話サービス装置３では、不在メッセージを発信元端末に送信したのち、発信元端末からの伝言メッセージを受信してそれを記録する。また、携帯電話機１は、無線通信網２を介してインターネット４に接続されると、Ｗｅｂサイトをアクセスして閲覧可能となり、インターネット４を介してメール管理装置５に接続されると、このメール管理装置５との間で電子メールの送受信が可能となる。
【００２７】
また、携帯電話機１は、無線通信網２を介してインターネット４に接続されると、コンテンツ配信装置６から動画、静止画、音楽、ニュース、天気予報などの情報をインターネット４、無線通信網２を介してダウンロード可能となり、また、携帯電話機１は、テレビ局・ラジオ局７から送信アンテナ８を介して発信された地上波デジタル放送を受信可能となる。なお、インターネットラジオのように無線通信網２、インターネット４を介してコンテンツ配信装置６からデジタル放送をダウンロード受信することもできる。
【００２８】
図２は、携帯電話機１の基本的な構成要素を示したブロック図である。
中央制御部１１は、二次電池（図示省略）を備えた電池部１２からの電力供給によって動作し、記憶部１３内の各種のプログラムに応じてこの携帯電話機１の全体動作を制御する中央演算処理装置やメモリ（図示省略）などを有している。記憶部１３には、プログラム記憶部Ｍ１、各種情報一時記憶部Ｍ２、選択条件記憶部Ｍ３、メール記憶部Ｍ４、履歴記憶部Ｍ５などが設けられている。プログラム記憶部Ｍ１は、図５〜図９に示した動作手順に応じて本実施形態を実現するためのプログラムや各種のアプリケーションなどが格納されているほか、それに必要とする情報などが記憶されている。
【００２９】
各種情報一時記憶部Ｍ２は、フラグ情報、タイマ情報、画面情報など、携帯電話機１が動作するために必要な各種の情報を一時的に記憶するワーク領域である。メール記憶部Ｍ４は、電子メール（Ｅメール）に関する情報を記憶するもので、「メールＩＤ」、「日時」、「相手情報」、「タイトル」「本文」などを受信メールと送信メールに区別して記憶する。履歴記憶部Ｍ５は、電話着信及び発信、Ｅメール受信及び送信に関する履歴情報を記憶するもので、「履歴ＩＤ」、「日時」、「相手情報」、「伝言メッセージ」、…などを記憶する。なお、履歴記憶部Ｍ５は、電話着信及び発信、Ｅメール受信及び送信に関する履歴情報を記憶するようにしたが、電話とＥメールとを別々の履歴記憶部で記憶したり、着信と発信（受信と送信）とを別々の履歴記憶部で記憶したりするようにしてもよい。なお、選択条件記憶部Ｍ３については後で詳述するものとする。
【００３０】
無線通信部１４は、図示しない無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１５を介して通話用スピーカＳＰから音声出力させ、また、通話用マイクＭＣからの入力音声データを音声信号処理部１５から取り込み、送信ベースバンド信号に符号化したのち、ベースバンド部の送信側に与えてアンテナＡＴ１から発信出力させる。
【００３１】
テレビ放送・ラジオ放送受信部１６は、テレビ放送受信部とラジオ放送受信部とを有し、それらを個別に起動可能なもので、端末装置向けの地上波デジタルテレビ放送、地上波デジタルラジオ放送と共に、電子番組表（ＥＰＧ）などの番組情報も含めて受信可能となっている。このテレビ放送・ラジオ放送受信部１６は、アンテナＡＴ２を介して放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。
【００３２】
撮像部１７は、ユーザ（撮影者）の顔などを撮影するテレビ電話用の撮像部（インカメラ）であり、ユーザに対面するようにそのレンズ系が配置されたもので、撮影レンズ、ミラーなどのレンズ・ミラーブロック、撮像素子、その駆動系のほか、測距センサ、光量センサ、アナログ処理回路、信号処理回路、圧縮伸張回路などを備え、光学ズームを調整制御したり、シャッター駆動制御、露出、ホワイトバランスなどを制御したりする。表示部１８は、高精細液晶あるいは有機ＥＬなどを使用し、例えば、文字情報、待受画像、テレビ電話画像、テレビ映像などを表示させる。操作部１９は、ダイヤル入力、文字入力、コマンド入力などを入力するもので、通話の開始を指示する通話キー（図示省略）などが設けられている。中央制御部１１は、この操作部１９からの入力操作信号に応じた処理を実行する。
【００３３】
ＲＴＣ（リアルタイムクロックモジュール）２０は、時計部を構成するもので、中央制御部１１は、ＲＴＣ２０から現在日時を取得する。報知部２１は、サウンドスピーカ２１Ａ、ＬＥＤ（発光ダイオード）２１Ｂ、振動モータ２１Ｃを備え、着信時に駆動されて着信報知を行うほか、アラーム報知時などでも駆動される。サウンドスピーカ２１Ａは、音楽コンテンツなどを再生出力したり、テレビ放送やラジオ放送などを再生出力したりする。スタイル検出部２２は、例えば、装置本体を構成する筐体の各所に配設された磁石と磁力センサなどから構成されたもので、この磁力センサによる測定結果に基づいて現在のスタイル及びスタイルが変更されたことを検出する構成となっている。
【００３４】
すなわち、スタイル検出部２２は、筐体の各所に配設された磁石のうち、どこに配設されている磁石が磁力センサに最も近いかなどから現在のスタイルを検出すると共に、この磁石と磁力センサとの対応関係（距離関係）に変化があった際に、スタイルが変更されたことを検出するようにしている。なお、スタイル検出部２２は、上述の磁石と磁力センサに限らず、それ以外の任意の方法（例えば、マイクロスイッチ、機械的スイッチなど）によってスタイル及びスタイル変更を検出するようにしてもよい。
【００３５】
図３は、携帯電話機１の外観図である。
携帯電話機１は、その装置本体を構成する複数の筐体（操作部筐体１Ａ、表示部筐体１Ｂ）の連結状態に応じて複数のスタイル（クローズスタイル、縦オープンスタイル、横オープンスタイル）に変更可能な２ウェイオープンタイプの携帯電話機で、操作部筐体１Ａと表示部筐体１Ｂとは折り畳み可能に取り付けられている。操作部筐体１Ａ、表示部筐体１Ｂは、その全体が長方形を成すもので、操作部筐体１Ａの内面には、上述した操作部１９、通話用マイクＭＣが配置され、表示部筐体１Ｂの内面には、上述した撮像部１７のレンズ系、表示部１８、通話用スピーカＳＰが配置されている。そして、操作部筐体１Ａに対して表示部筐体１Ｂは、その短手方向の一端部に平行な軸を開閉軸として開閉可能となっているほか、その長手方向の一端部に並行な軸を開閉軸として開閉可能な構成となっている。
【００３６】
図３（１）は、操作部筐体１Ａと表示部筐体１Ｂとを折り畳んだ状態のクローズスタイルを示し、（２）は、このクローズスタイルから表示部筐体１Ｂをその短手方向の一端部に平行な軸を開閉軸として開いた状態の縦オープンスタイルを示し、この縦オープンスタイルでは、操作部筐体１Ａ上の通話用マイクＭＣと表示部筐体１Ｂ上の通話用スピーカＳＰとが離間した状態（ハンドセットとしての機能状態）となるために、音声電話には適した状態となる。また、図３（３）は、クローズスタイルから表示部筐体１Ｂをその長手方向の一端部に平行な軸を開閉軸として開いた状態の横オープンスタイルを示し、この横オープンスタイルでは、操作部筐体１Ａ上の通話用マイクＭＣと表示部筐体１Ｂ上の通話用スピーカＳＰとが離間した状態とはならないために、音声電話には不向きな状態となるが、操作部筐体１Ａを横長になるような向きにすると両手で保持し易い状態となるために、テレビ電話には適した状態となる。
【００３７】
図４は、選択条件記憶部Ｍ３を説明するための図である。
選択条件記憶部Ｍ３は、スタイル検出部２２によって検出されたスタイルに基づいて、複数の通信手段（音声電話、テレビ電話、留守番電話、電子メール）の中からいずれか１つの通信手段を選択するためのテーブルで、「項目」、「発信時」、「着信時」、「通話中」の各フィールドを有している。ここで、「項目」としては、“クローズスタイル”、縦オープンスタイル、横オープンスタイルを有している。「発信時」は、“音声電話”、“テレビ電話”、“Ｅメール（電子メール）”、“−（無効）”の中から任意に選択されたもので、図示の例は、“クローズスタイル”に対応して“−”、また、縦オープンスタイルに対応して“音声電話”、また、横オープンスタイルに対応して“Ｅメール”を設定した場合を示している。
【００３８】
「着信時」、「通話中」は、“音声電話”、“テレビ電話”、“留守番電話”、“−（無効）”の中から任意に選択されたもので、図示の例は、「着信時」において、“クローズスタイル”に対応して“−”、縦オープンスタイルに対応して“音声電話”、横オープンスタイルに対応して“テレビ電話”を設定した場合を示している。また、「通話中」において、“クローズスタイル”に対応して“留守番電話”、縦オープンスタイルに対応して“音声電話”、横オープンスタイルに対応して“テレビ電話”を設定した場合を示している。なお、選択条件記憶部Ｍ３の内容はユーザ操作によって任意に設定されたもので、スタイルと通信手段との対応付けは任意である。
【００３９】
中央制御部１１は、着信時、通話中、発信時のいずれかにおいて、スタイル検出部２２によって検出された現在のスタイルに基づいて選択条件記憶部Ｍ３を参照し、現在のスタイルに応じてそれに該当する通信手段を選択することによって、この通信手段による通信として、音声電話、テレビ電話、留守番電話、電子メールのいずれかの通信を実行するようにしている。すなわち、音声電話、テレビ電話の場合を例示すると、着信が検出されている状態にあって、スタイルが変更されたことを検出すると、変更後のスタイルに応じて選択条件記憶部Ｍ３を参照し、変更後のスタイル（縦オープンスタイル、横オープンスタイル）に応じてそれに該当する音声電話処理、テレビ電話処理のいずれかを実行するようにしている。この場合、着信時にクローズスタイルであれば、筐体をどのようにして開いたか（縦オープンスタイル、横オープンスタイル）に応じてテレビ電話による通話と音声電話による通話のいずれかを実行するようにしている。
【００４０】
また、通話中にスタイルが変更されると、変更後のスタイルに応じて選択条件記憶部Ｍ３を参照し、変更後のスタイル（縦オープンスタイル、横オープンスタイル）に該当する音声電話処理、テレビ電話処理のいずれかを実行するようにしている。また、音声電話、テレビ電話の発信時においても同様に、発信後の通話中においてスタイルが変更されると、変更後のスタイルに応じて選択条件記憶部Ｍ３を参照し、変更後のスタイル（縦オープンスタイル、横オープンスタイル）に該当する音声電話処理、テレビ電話処理のいずれかを実行するようにしている。
【００４１】
次に、この実施形態における携帯電話機１の動作概念を図５〜図９に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００４２】
図５は、携帯電話機１の全体動作の概要を示したフローチャートである。
先ず、中央制御部１０１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。その後、操作待ちや受信待ちなどの待ち受け状態となる。ここで、任意の情報を設定する設定操作が行われた場合には（ステップＡ３でＹＥＳ）、その操作に対応する設定処理として、例えば、選択条件記憶部Ｍ３などに対する設定処理を行ったのち（ステップＡ４）、上述のステップＡ３に戻る。
【００４３】
また、待ち受け状態において電話着信を検出した場合には（ステップＡ５でＹＥＳ）、後述する着信処理を実行すると共に（ステップＡ６）、通話中処理を実行したのち（ステップＡ７）、上述のステップＡ３に戻る。また、発信操作を検出した場合には（ステップＡ８でＹＥＳ）、後述する発信処理を実行すると共に（ステップＡ９）、通話中処理を実行したのち（ステップＡ７）、上述のステップＡ３に戻る。また、メール着信を検出した場合には（ステップＡ１０でＹＥＳ）、表示部１８、報知部２１などを駆動して、表示、音、振動、光で受信報知を行う（ステップＡ１１）。そして、受信メールに関する情報をメール記憶部Ｍ４に記憶させると共に（ステップＡ１２）、今回の受信メールに関する情報を履歴記憶部Ｍ５に記憶させたのち（ステップＡ１３）、上述のステップＡ３に戻る。
【００４４】
また、電源オフ操作が行われると（ステップＡ１４でＹＥＳ）、電源オフ処理を実行したのち（ステップＡ１５）、このフローの終了となるが、その他の操作が行われたときには（ステップＡ１６でＹＥＳ）、その操作に応じた処理として、例えば、留守中に留守番電話サービス装置３側に記録された伝言メッセージを受信して出力させたり、受信メール表示操作に応じてメール開封処理などを行ったりする（ステップＡ１７）。その後、上述のステップＡ３に戻る。
【００４５】
図６及び図７は、着信処理（図５のステップＡ６）を詳述するためのフローチャートである。
この着信処理は、着信が検出されている状態にあって、スタイルが変更されたことが検出された場合に、変更後のスタイルに応じて音声電話処理、テレビ電話処理、留守番電話処理のいずれかを実行する処理である。先ず、中央制御部１１は、表示部１８、報知部２１を駆動して、表示、音、振動、光で着信報知を行うと共に（ステップＢ１）、着信に関する情報を履歴記憶部Ｍ５に記憶させる（ステップＢ２）。
【００４６】
図１０（１）は、着信時に表示される着信画面を例示した図で、この着信画面には相手先の名前、電話番号などが表示される。そして、スタイル検出部２２によって検出された現在のスタイルを取得し（ステップＢ３）、“クローズスタイル”であるかを調べ（ステップＢ４）、縦オープンスタイル又は横オープンスタイルであれば（ステップＢ４でＮＯ）、図７のフローに移るが、“クローズスタイル”であれば（ステップＢ３でＹＥＳ）、スタイル検出部２２によってスタイルの変更が検出されるまで待機状態となる（ステップＢ５）。
【００４７】
いま、スタイルの変更を検出すると（ステップＢ５でＹＥＳ）、変更後のスタイルに応じて通信手段を切り替えて、音声電話処理、テレビ電話処理、留守番電話処理のいずれかを実行する処理に移る（ステップＢ６〜Ｂ１７）。すなわち、“クローズスタイル”から縦オープンスタイル又は横オープンスタイルに変更された場合には（ステップＢ５でＹＥＳ）、スタイル検出部２２によって検出された変更後のスタイルを取得し（ステップＢ６）、“クローズスタイル”から縦オープンスタイルに変更されたか（ステップＢ７でＹＥＳ）、“クローズスタイル”から横オープンスタイルに変更されたのかを調べる（ステップＢ９）。いま、電話着信時において、“クローズスタイル”から縦オープンスタイルに変更された場合には（ステップＢ７でＹＥＳ）、選択条件記憶部Ｍ３を参照して、縦オープンスタイルに対応する選択条件（図４の例では、音声電話）を読み出す（ステップＢ８）。
【００４８】
また、“クローズスタイル”から横オープンスタイルに変更された場合には（ステップＢ９でＹＥＳ）、選択条件記憶部Ｍ３を参照して、横オープンスタイルに対応する選択条件（図４の例では、テレビ電話）を読み出す（ステップＢ１０）。また、“クローズスタイル”の場合には（ステップＢ９でＮＯ）、“クローズスタイル”に対応する選択条件（図４の例では、無効を示す“−”）を読み出す（ステップＢ１１）。なお、ステップＢ１１は、ステップＢ５からの遷移では通らないステップであるが、後述する図７のステップＢ１８とステップＢ１９からの遷移（図６と図７の遷移番号３からの遷移）では通る可能性のあるステップである。
【００４９】
このようにして読み出した選択条件は、“テレビ電話”であるか（ステップＢ１２）、“音声電話”であるか（ステップＢ１４）、“留守番電話”であるかを調べ（ステップＢ１６）、選択条件が“テレビ電話”であれば（ステップＢ１２でＹＥＳ）、その着信の相手側との通信路を確立したのち、撮像部１７によって撮影されたユーザ画像を相手側に送信すると共に、相手側から送信されてくる相手画像を受信して表示部１８で表示し、テレビ電話の通話を開始する（ステップＢ１３）。また、選択条件が“音声電話”であれば（ステップＢ１４でＹＥＳ）、その着信の相手側との通信路を確立したのち、音声電話の通話を開始する（ステップＢ１５）。その後、この着信処理（図６及び図７のフロー）の終了となる。また、“留守番電話”であれば（ステップＢ１６でＹＥＳ）、その着信の相手側の端末（発信元端末）と留守番電話サービス装置３との接続を要求する留守番電話接続要求信号を送信したのち（ステップＢ１７）、上述の図５のステップＡ３に戻る。この留守番電話接続要求信号が送信された場合、前述したように、通信事業者側では、この携帯電話機の呼び出しを中止して留守番電話サービス装置３を呼び出し、相手側の端末との通話路を確立するようにしている。
【００５０】
また、着信時のスタイルが縦オープンスタイル又は横オープンスタイルであれば（ステップＢ４でＮＯ）、図７のフローに移り、スタイルが変更されたかを調べ（ステップＢ１８）、スタイルが変更された場合には（ステップＢ１８でＹＥＳ）、図６のフローに移り、変更後のスタイルに応じて通信手段を切り替えて音声電話処理、テレビ電話処理、留守番電話処理のいずれかを実行する処理に移る（ステップＢ６〜Ｂ１７）。また、スタイルが変更されなければ（ステップＢ１８でＮＯ）、通信開始操作が行われたか（ステップＢ１９）、テレビ電話通話開始操作が行われたか（ステップＢ２０）、音声電話通話開始操作が行われたか（ステップＢ２２）、留守番電話開始操作が行われたかを調べる（ステップＢ２４）。
【００５１】
いま、いずれの操作も行われなかったときには（ステップＢ２４でＮＯ）、上述のステップＢ１８に戻るが、着信報知に応答して通信（テレビ電話、音声電話、留守番電話）の開始を指示する通信開始操作が行われた場合（例えば、操作部１９に設けられている通話キーが操作された場合）にも（ステップＢ１９でＹＥＳ）、図６のフローに移り、現在のスタイルに応じて通信手段を切り替えて音声電話処理、テレビ電話処理、留守番電話処理のいずれかを実行する処理に移る（ステップＢ６〜Ｂ１７）。この場合、縦オープンスタイル、横オープンスタイル、クローズスタイルに応じて音声電話処理、テレビ電話処理を実行する。
【００５２】
一方、着信が検出されている状態にあって、テレビ電話、音声電話、留守番電話の個々を指定して、その開始を指示する操作が行われた場合、つまり、テレビ電話通話開始操作、音声電話通話開始操作、留守番電話開始操作のいずれかが行われた場合には、その操作に対応してテレビ電話処理、音声電話処理、留守番電話処理を実行に移る（ステップＢ２０〜Ｂ２５）。ここで、テレビ電話通話開始操作、音声電話通話開始操作、留守番電話開始操作は、次のようにして行う。すなわち、図１０（１）に示した着信画面においてその「メニュー」ソフトキー（タッチキー）を操作して、図１０（２）に示す着信メニュー画面を表示させる。そして、この着信メニュー画面の中からそのメニュー項目として“テレビ電話”、“音声電話”、“留守番電話”のいずれかを選択する操作を行ったのち、「決定」ソフトキー（タッチキー）を操作する。
【００５３】
いま、着信メニュー画面の中から“テレビ電話”が選択されてテレビ電話通話開始操作が行われたときには（ステップＢ２０でＹＥＳ）、その着信の相手側（発信元）との通信路を確立したのち、撮像部１７によって撮影されたユーザ画像を相手側に送信すると共に、相手側から送信されてくる相手画像を受信して表示部１８で表示し、テレビ電話の通話を開始し（ステップＢ２１）、着信メニュー画面の中から“音声電話”が選択されて音声電話通話開始操作が行われたときには（ステップＢ２２でＹＥＳ）、その着信の相手側との通信路を確立したのち、音声電話の通話を開始する（ステップＢ２３）。その後、この着信処理（図６及び図７のフロー）の終了となる。また、居留守のような場合に、着信メニュー画面の中から“留守番電話”が選択されて留守番電話開始操作が行われたときには（ステップＢ２４でＹＥＳ）、その相手の発信元端末と留守番電話サービス装置３との接続を要求する留守番電話接続要求信号を送信したのち（ステップＢ２５）、上述した図５のステップＡ３に戻る。
【００５４】
図８は、通話中処理（図５のステップＡ７）を詳述するためのフローチャートである。
この通話中処理は、通話中にスタイルが変更された場合に、変更後のスタイルに応じて選択条件記憶部Ｍ３を参照し、変更後のスタイルに応じて音声電話処理、テレビ電話処理、留守番電話処理を実行する処理である。先ず、中央制御部１１は、着信が検出されている状態にあって、スタイルが変更されたかを調べたり（ステップＣ１）、通信路を遮断して通話終了を指示する通話終了操作が行われたかを調べたりしながら待機状態となる（ステップＣ２）。いま、通話終了操作が行われたときには（ステップＣ２でＹＥＳ）、通信路を遮断して通話終了させる通話終了処理を行ったのち（ステップＣ３）この通話中処理（図８のフロー）の終了となる。
【００５５】
また、通話中にあって、スタイルが変更されたときには（ステップＣ１でＹＥＳ）、スタイル検出部２２によって検出された変更後のスタイルを取得し（ステップＣ４）、縦オープンスタイルへの変更か（ステップＣ５）、横オープンスタイルへの変更かを調べ（ステップＣ７）、縦オープンスタイルへの変更であれば（ステップＣ５でＹＥＳ）、選択条件記憶部Ｍ３を参照し、縦オープンスタイルに対応する選択条件（図４の例では、音声電話）を読み出す（ステップＣ６）。また、横オープンスタイルへの変更であれば（ステップＣ７でＹＥＳ）、選択条件記憶部Ｍ３を参照し、横オープンスタイルに対応する選択条件（図４の例では、テレビ電話）を読み出す（ステップＣ８）。また、“クローズスタイル”への変更であれば（ステップＣ７でＮＯ）、“クローズスタイル”に対応する選択条件（図４の例では、留守番電話）を読み出す（ステップＣ９）。
【００５６】
そして、上述のようにして読み出した選択条件は、“テレビ電話”であるか（ステップＣ１０）、“音声電話”であるか（ステップＣ１３）、“留守番電話”であるかを調べ（ステップＣ１６）、選択条件が“テレビ電話”であれば（ステップＣ１０でＹＥＳ）、音声電話の通話中であるかを調べる（ステップＣ１１）。いま、テレビ電話中であれば（ステップＣ１１でＮＯ）、最初のステップＣ１に戻るが、音声電話の通話中であれば（ステップＣ１１でＹＥＳ）、音声電話からテレビ電話通話に切り替えるために、撮像部１７によって撮影されたユーザ画像を相手側に送信すると共に、相手側から送信されてくる相手画像を受信して表示部１８で表示する（ステップＣ１２）。
【００５７】
また、選択条件が“音声電話”であれば（ステップＣ１３でＹＥＳ）、テレビ電話通話中であるかを調べ（ステップＣ１４）、音声電話通話中であれば（ステップＣ１４でＮＯ）、最初のステップＣ１に戻るが、テレビ電話通話中であれば（ステップＣ１４でＹＥＳ）、テレビ電話から音声電話に切り替えるために、撮像部１７の駆動を停止させると共にその送信を停止させ、相手側から送信されてくる相手画像の受信と表示も停止させる（ステップＣ１５）。このように通話中にスタイルが変更された場合には、変更後のスタイルに基づいて選択した通信手段による通信に切り替えて実行する。
また、選択条件が“留守番電話”であれば（ステップＣ１６でＹＥＳ）、相手（発信元）との通信路を遮断して通話を終了させると共に（ステップＣ１７）、この発信元端末と留守番電話サービス装置３との接続を要求する留守番電話接続要求信号を送信したのち（ステップＣ１８）、上述した図５のステップＡ３に戻る。
【００５８】
図９は、発信処理（図５のステップＡ９）を詳述するためのフローチャートである。
この発信処理は、通信の開始を指示するための操作された際に、現在のスタイルに応じてそれに該当する音声電話処理、テレビ電話処理、Ｅメール処理のいずれかを実行する処理である。先ず、中央制御部１１は、通信相手を指定する操作に続いて（ステップＤ１）、通信開始操作が行われたか（ステップＤ２）、テレビ電話通話開始操作が行われたか（ステップＤ３）、音声電話通話開始操作が行われたか（ステップＤ４）、Ｅメール送信開始操作が行われたかを調べ（ステップＤ５）、いずれの操作も行われなかったときには（ステップＤ５でＮＯ）、上述のステップＤ２に戻って操作待ち状態となる。
【００５９】
図１０（３）は、発信処理において、アドレス帳（図示省略）の内容（名前）を一覧表示する通信相手指定画面を例示したもので、この通信相手指定画面の中から任意の通信相手を選択する操作（通信相手指定操作）が行われたのち（ステップＤ１）、その相手への通信（テレビ電話発信、音声電話発信、Ｅメール送信）の開始を指示する通信開始操作が行われた場合（例えば、操作部１９に設けられている通話キーが操作された場合）には（ステップＤ２でＹＥＳ）、スタイル検出部２２によって検出された現在のスタイルを取得する（ステップＤ６）。そして、現在のスタイルは縦オープンスタイルであるか（ステップＤ７）、横オープンスタイルであるかを調べる（ステップＤ８）。
【００６０】
いま、電話発信／メール送信時に縦オープンスタイルであれば（ステップＤ７でＹＥＳ）、選択条件記憶部Ｍ３を参照して、縦オープンスタイルに対応する選択条件（図４の例では、音声電話）を読み出すが（ステップＤ８）、横オープンスタイルであれば（ステップＤ９でＹＥＳ）、選択条件記憶部Ｍ３を参照して、横オープンスタイルに対応する選択条件（図４の例では、Ｅメール）を読み出し（ステップＤ１０）、また、“クローズスタイル”であれば（ステップＤ９でＹＥＳ）、“クローズスタイル”に対応する選択条件（図４の例では、無効を示す“−”）を読み出す（ステップＤ１１）。
【００６１】
このようにして読み出した選択条件は、“テレビ電話”であるか（ステップＤ１２）、“音声電話”であるか（ステップＤ１３）、“Ｅメール”であるかを調べ（ステップＤ１４）、選択条件が“テレビ電話”であれば（ステップＤ１２でＹＥＳ）、今回の発信に関する情報を履歴記憶部Ｍ５に記憶させる（ステップＤ１５）。そして、テレビ電話の発信を行って通信相手側との通信路を確立し（ステップＤ１６）、撮像部１７によって撮影されたユーザ画像を相手側に送信すると共に、相手側から送信されてくる相手画像を受信して表示部１８で表示し、テレビ電話の通話を開始したのち（ステップＤ１７）、この発信処理（図９のフロー）の終了となる。
【００６２】
また、選択条件が“音声電話”であれば（ステップＤ１３でＹＥＳ）、今回の発信に関する情報を履歴記憶部Ｍ５に記憶させる（ステップＤ１８）。そして、音声電話の発信を行って通信相手側との通信路を確立して（ステップＤ１９）、音声電話の通話を開始したのち（ステップＤ２０）、この発信処理（図９のフロー）の終了となる。また、選択条件が“Ｅメール”であれば（ステップＤ１４でＹＥＳ）、送信するＥメールをユーザ操作によって作成し、Ｅメール送信に関する情報を履歴記憶部Ｍ５に記憶させると共に（ステップＤ２１）、このＥメールをその相手側に送信したのち（ステップＤ２２）、図５のステップＡ３に戻る。
【００６３】
一方、発信処理での操作待ち状態にあって、テレビ電話、音声電話、Ｅメールの個々を指定して、その開始を指示する操作が行われた場合、つまり、テレビ電話通話開始操作、音声電話通話開始操作、Ｅメール送信開始操作のいずれかが行われた場合には、その操作に対応してテレビ電話処理、音声電話処理、Ｅメール送信処理を実行に移る（ステップＤ３〜Ｄ５、Ｄ１５〜Ｄ１７、Ｄ１８〜Ｄ２０、Ｄ２１、Ｄ２２）。ここで、テレビ電話通話開始操作、音声電話通話開始操作、Ｅメール送信開始操作は、次のようにして行う。すなわち、図１０（３）に示した通信相手指定画面においてその「メニュー」ソフトキー（タッチキー）を操作して、図１０（４）に示す発信メニュー画面を表示させる。そして、この発信メニュー画面の中からそのメニュー項目として“テレビ電話”、“音声電話”、“Ｅメール”のいずれかを選択する操作を行ったのち、「決定」ソフトキー（タッチキー）を操作する。
【００６４】
いま、発信メニュー画面の中から“テレビ電話”が選択されてテレビ電話通話開始操作が行われたときには（ステップＤ３でＹＥＳ）、上述のテレビ電話処理（ステップＤ１５〜Ｄ１７）に移り、“音声電話”が選択されて音声電話通話開始操作が行われたときには（ステップＤ４でＹＥＳ）、上述の音声電話に関する処理（ステップＤ１８〜Ｄ２０）に移る。また、発信メニュー画面の中から“Ｅメール”が選択されてＥメール送信開始操作が行われたときには（ステップＤ１４でＹＥＳ）、上述のＥメールに関する処理（ステップＤ２１、Ｄ２２）に移る。
【００６５】
以上のように、この実施形態において中央制御部１１は、複数の通信手段による通信としてテレビ電話、音声電話、Ｅメール、留守番電話のいずれかを実行する場合に、スタイル検出部２２によって検出されたスタイルに基づいて選択した通信手段による通信を実行するようにしたので、スタイルに応じて、適切な通信手段による通信を容易に実行することができる。この場合、現在のスタイルに合った適切な通信手段による通信を容易に実行するようにすれば、利便性が向上して使い勝手が良くなる。
【００６６】
通信の開始を指示するための操作（例えば、通話キー操作）が行われた場合に、スタイル検出部２２によって検出されたスタイルに基づいて選択した通信手段による通信を実行するようにしたので、例えば、着信時又は発信時に、現在のスタイルに基づいて選択した通信手段による通信を実行することができる。
【００６７】
着信が検出されている状態でスタイルが変更された場合に、変更後のスタイルに基づいて選択した通信手段による通信を実行するようにしたので、着信している状態でスタイルを変更させるだけで、変更後のスタイルに基づいて選択した通信手段による通信を実行することができる。
【００６８】
通信が実行されている状態にあって、スタイルが変更された場合に、変更後のスタイルに基づいて選択した通信手段による通信に切り替えて実行するようにしたので、通話中などのように、通信実行中にスタイルを変更させるだけで、通信手段を切り替えることができる。
【００６９】
通信を開始するための操作（テレビ電話通話開始操作、音声電話通話開始操作、留守番電話開始操作、Ｅメール送信開始操作）が行われた際に、通信開始操作に対応する通信手段による通信を実行するようにしたので、スタイルに関わらず、ユーザが所望する通信手段による通信を自由に実行することができる。
【００７０】
携帯電話機１は、縦オープンスタイル、横オープンスタイルに変更可能な２ウェイオープンタイプで、スタイル検出部２２によって縦オープンスタイル、横オープンスタイルを検出するようにしたので、この縦オープンスタイル、横オープンスタイルに応じた適切な通信手段による通信を容易に実行することができる。
【００７１】
テレビ電話機能、音声電話機能、Ｅメール機能、留守番電話機能の中から、現在のスタイルに基づいて選択した通信手段による通信を実行することができるので、テレビ電話による通話に適したスタイルであれば、テレビ電話による通話、音声電話による通話に適したスタイルであれば、音声電話による通話などのように、スタイルに適した通信を実行したり、例えば、このスタイルでテレビ電話による通話をしたいなどのように、ユーザの嗜好に合せた通信を実行したりすることができる。
【００７２】
縦オープンスタイル、横オープンスタイルに変更可能な２ウェイオープンタイプの携帯電話機１において、通話を開始するための操作が行われた際に、縦オープンスタイルなのか、横オープンスタイルなのかに応じてテレビ電話による通話と音声電話による通話のいずれかを選択して実行するようにしたので、縦オープンスタイル、横オープンスタイルに応じて適切な通話を容易に実行することができる。これによって着信時又は発信時に、現在のスタイルに適した通話に切り替えることも可能となる。
【００７３】
縦オープンスタイル、横オープンスタイルに変更可能な２ウェイオープンタイプの携帯電話機１において、テレビ電話による通話と音声電話による通話のいずれかで通話を行っている状態にあって、スタイルが変更された際に、変更後のスタイルに応じてテレビ電話による通話と音声電話による通話のいずれかを選択して実行するようにしたので、縦オープンスタイル、横オープンスタイルに応じて適切な通話を容易に実行することができる。これによって通話中にスタイルを変更させるだけで、テレビ電話による通話と音声電話による通話との切り替えが可能となる。
【００７４】
クローズスタイル、縦オープンスタイル、横オープンスタイルに変更可能な２ウェイオープンタイプの携帯電話機１において、クローズスタイルで着信が検出されている状態にあって、スタイルの変更が検出された場合に、変更後のスタイルに応じてテレビ電話による通話と音声電話による通話のいずれかを選択して実行するようにしたので、クローズスタイルからどのように筐体を開いたかにに応じて適切な通話を容易に実行することができる。これによってクローズスタイルから筐体を開くだけで、テレビ電話による通話と音声電話による通話との切り替えが可能となる。
【００７５】
なお、上述した実施形態においては、選択条件をユーザ操作によって任意に設定できるようにしたが、より簡易に、ユーザ操作で設定できないようにしてもよい。
また、通信開始操作、テレビ電話開始操作、音声電話通話開始操作、留守番電話開始操作、Ｅメール送信開始操作は、上述した実施形態に記載された操作に限らず、端末装置ごとに決められた任意の操作であってもよい。
【００７６】
上述した実施形態においては、音声記録機能を、無線通信網２に接続された留守番電話サービス装置３を利用した機能としたが、携帯電話機１に音声を記録する音声記憶部を設け、相手側の端末から送信される伝言メッセージを音声記憶部に記憶する機能としてもよい。
【００７７】
上述した実施形態においては、複数の通信手段による通信として、テレビ電話、音声電話、Ｅメール、留守番電話を例示したが、複数の通信手段による通信として、複数の放送受信手段による受信であってもよい。この場合、複数の放送受信手段の中からスタイルに基づいて選択した放送受信手段による通信を実行するようにすればよい。これによって例えば、テレビ放送を視聴するのに適したスタイルであれば、テレビ放送の受信、ラジオ放送を視聴するのに適したスタイルであれば、ラジオ放送の受信などのように、スタイルに適した通信を実行することができる。例えば、クローズスタイルの場合にはラジオ放送を受信し、横オープンスタイルや縦オープンスタイルの場合には、デジタルテレビ放送を受信することができる。
【００７８】
上述した実施形態においては、複数の通信手段による通信として、テレビ電話、音声電話、Ｅメール、留守番電話を例示したが、複数の通信手段による通信として、帯域幅の異なる複数の通信手段による通信であってもよい。これによって例えば、表示部が横長の向きになるため高画質のテレビ放送を視聴するのに適したスタイル（横オープンスタイル）であれば、高品質テレビ放送（たとえば、フルセグデジタルテレビ放送）を受信し、表示部１８が縦長の向きになるため低画質のテレビ放送で充分なスタイル（縦オープンスタイル）であれば、低品質テレビ放送（例えば、ワンセグデジタルテレビ放送）の受信するなどのように、スタイルに適した通信を実行したり、例えば、このスタイルで高品質テレビ放送を視聴したいなどのように、ユーザの嗜好に合せた通信を実行したりすることができる。
【００７９】
その他の通信手段として、コンテンツ配信装置６から動画、静止画、音楽、ニュースなどの情報をインターネット４、無線通信網２を介してダウンロードする場合であってもよい。これによって例えば、クローズスタイルの場合には音楽コンテンツを受信し、横オープンスタイルの場合には、静止画コンテンツやニュースコンテンツを受信し、また、縦オープンスタイルの場合には、動画コンテンツを受信するようにしてもよい。
【００８０】
上述した実施形態においては、複数の通信手段による通信として、テレビ電話、音声電話、Ｅメール、留守番電話を例示したが、データ通信、Bluetooth（登録商標）、赤外線通信など、任意の通信であってもよい。
【００８１】
上述した実施形態においては、装置本体を構成する筐体として、操作部筐体１Ａと表示部筐体１Ｂを示し、その筐体の状態を示すスタイルとして、縦オープンスタイル、横オープンスタイル、クローズスタイルを示したが、これらに限らず、例えば、アンテナなど、装置本体を構成する任意の筐体でよく、例えば、アンテナの伸縮状態など、その筐体の状態を示す任意のスタイルでよい。
【００８２】
上述した実施形態においては、２ウェイオープンタイプの携帯電話機１を例示した場合を示したが、これに限らず、例えば、ストレートタイプ、スライドタイプ、スピントップタイプなど任意の筐体構造の携帯電話機１であってもよく、また、表示部も携帯電話機１に備えられている表示部１８に限らず、例えば、外部モニタなど、任意の外部表示装置であってもよい。
【００８３】
上述した実施形態においては、端末装置として携帯電話機１に適用した場合を示したが、例えば、パーソナルコンピュータ、ＰＤＡ、デジタルカメラ、音楽プレイヤー、それらの複合機など、通信機能を備える任意の端末装置であってもよい。
【符号の説明】
【００８４】
１  携帯電話機
２  無線通信網
３  留守番電話サービス装置
４  インターネット
５  メール管理装置
７  テレビ局・ラジオ局
６  コンテンツ配信装置
７  テレビ局・ラジオ局
１１  中央制御部
１３  記憶部
１４  無線通信部
１７  撮像部
１８  表示部
１９  操作部
２０  ＲＴＣ
２１  報知部
２２  スタイル検出部
Ｍ１  プログラム記憶部
Ｍ３  選択条件記憶部
ＭＣ  通話用マイク
ＳＰ  通話用スピーカ
【図１】
2010258646.tif 000003
【図２】
2010258646.tif 000004
【図３】
2010258646.tif 000005
【図４】
2010258646.tif 000006
【図５】
2010258646.tif 000007
【図６】
2010258646.tif 000008
【図７】
2010258646.tif 000009
【図８】
2010258646.tif 000010
【図９】
2010258646.tif 000011
【図１０】
2010258646.tif 000012